(57)【要約】【課題】カメラ重心の移動に際してもハンドルのバランス悪化が抑えられるようにしたテレビジョンカメラ装置を提供すること。【解決手段】カメラヘッド１に、上方に開口した略コの字形の溝５Ａを備えたハンドル取付け座５を設け、これの溝５Ａにハンドル４の下端部４Ａを挿入することにより前後に移動可能に保持させ、撮み付留めネジ６により任意の位置で固定させることができるようにして、カメラ重心の位置に応じてハンドルが動かせるようにしたもの。【選択図】図１
2007335990.tif 000002
【特許請求の範囲】
【請求項１】
カメラ本体の上部にハンドルを備えたテレビジョンカメラ装置において、
前記カメラ本体の上部に、上方に開口して前後方向に長い略コの字形の溝を備えたハンドル取付け座を取付けると共に、前記ハンドルには、前記ハンドル取付け座の溝に摺動可能に保持されるハンドル下端部を形成させ、
前記ハンドル下端部を前記ハンドル取付け座の溝に挿入し、前記ハンドル取付け座の側面の一方に形成してある長孔から撮み付留めネジを前記ハンドル下端部のねじ孔にねじ込むことにより、前記ハンドル下端部が前記ハンドル取付け座に固定されるように構成したことを特徴とするテレビジョンカメラ装置。
【発明の詳細な説明】
【技術分野】
【０００１】
本発明は、ハンドルを備えたテレビジョンカメラ装置に係り、特に仕様性能が比較的高い可搬式のカメラに好適なテレビジョンカメラ装置に関する。
【背景技術】
【０００２】
近年、テレビジョンカメラの性能向上は目覚ましく、可搬式(ポータブル)であるにもかかわらず、ハイビジョン仕様などのかなり高性能な仕様を備えたテレビジョンカメラも昨今は珍しくなくなっているが、この場合、可搬式とは言い条、ホームビデオカメラなどと比較した場合、それなりの大きさと質量をもっているのが通例であり、従って可搬式の場合、ハンドル(把手)がほとんど必須である。
【０００３】
そこで、可搬式のテレビジョンカメラでは、従来からハンドルが設けられるのが通例であるが、このとき従来技術では、カメラ筐体に専用の取付け座を設け、これに取付けられたハンドルを用いたり、カメラの筐体に作り付けされたハンドルを用いたりしていた(例えば、特許文献１参照。)。
【特許文献１】特開２００６−６０６５１号公報
【発明の開示】
【発明が解決しようとする課題】
【０００４】
上記従来技術は、テレビジョンカメラの重心位置変化に配慮がされておらず、テレビジョンカメラの持ち運びに問題があった。
【０００５】
テレビジョンカメラのハンドルは、当該カメラをぶら提げた状態で保持するものであるから、テレビジョンカメラの重心位置の上で把持できるようになっているのがバランスの点で好ましい。ところでテレビジョンカメラでは豊富なアクセサリーの存在が魅力の一つであり、このことは高性能仕様のテレビジョンカメラの場合、特に顕著であるが、アクセサリーの活用にはテレビジョンカメラに対してレンズやビューファインダなどの周辺機器を取付けたり取外したりする必要があり、この場合、カメラの重心位置に変化が伴ってしてしまう。
【０００６】
このとき従来技術では、ハンドルがテレビジョンカメラの重心から外れた位置になってしまうので、持ち運びに際してバランスが悪くなり、この結果、テレビジョンカメラの持ち運びに問題が生じてしまうのである。特に、近年の電子回路の小型化は目覚ましく、これに伴いテレビジョンカメラの本体については、高性能仕様のテレビジョンカメラの場合でも小型化と軽量化が著しく進んでいる。一方、レンズについては、高性能化を図ると、レンズ前玉の大径化やレンズ枚数の増加などを伴ってしまうことから、軽量化どころか重量化してしまう。従って、この場合、上記したバランス悪化が一層顕著になってしまうことになる。
【０００７】
本発明の目的は、カメラ重心の移動に際してもハンドルのバランス悪化が抑えられるようにしたテレビジョンカメラ装置を提供することにある。
【課題を解決するための手段】
【０００８】
上記目的は、カメラ本体の上部にハンドルを備えたテレビジョンカメラ装置において、前記カメラ本体の上部に、上方に開口して前後方向に長い略コの字形の溝を備えたハンドル取付け座を取付けると共に、前記ハンドルには、前記ハンドル取付け座の溝に摺動可能に保持されるハンドル下端部を形成させ、前記ハンドル下端部を前記ハンドル取付け座の溝に挿入し、前記ハンドル取付け座の側面の一方に形成してある長孔から撮み付留めネジを前記ハンドル下端部のねじ孔にねじ込むことにより、前記ハンドル下端部が前記ハンドル取付け座に固定されるようにして達成される。
【発明の効果】
【０００９】
本発明によれば、カメラ本体に対するハンドルの取付位置が動かせるようになるので、重心位置が多様に変化する可搬式のテレビジョンカメラ装置に対しても、常に理想的な重心位置でカメラを提げ、バランスのよい状態でカメラを持ち運びすることができる。
【発明を実施するための最良の形態】
【００１０】
以下、本発明によるテレビジョンカメラ装置について、図示の実施の形態により詳細に説明する。ここで、まず、図１は、本発明によるテレビジョンカメラ装置の一実施形態を示したもので、このとき図の(a)は上面図で、図の(b)は側面図であり、これらの図から明らかなように、ここに示した実施形態は、カメラの本体であるカメラヘッド１にレンズ２とビューファインダ３を備えたテレビジョンカメラ装置にハンドル４を設け、可搬式として利便性が得られるようにしたものであり、従って、この限りでは、従来技術のテレビジョンカメラ装置と同じである。
【００１１】
なお、図１の(b)では、ビューファインダ３について、その一部を省略し、全体として簡略化した上で、同図の(a)とは位置をずらしてあるが、特に意味はなく、要するにビューファインダ３が設けられている点が判る程度に描いたものである。
【００１２】
しかして、このこの実施形態では、カメラヘッド１の上部に、特に図の(a)から明らかなように、カメラヘッド１の前後方向に延び、上向きに開放された溝が備えられているハンドル取付け座５が設けてあり、このハンドル取付け座５の溝にハンドル４の下端部(足部)であるハンドル下端部４Ａが摺動(スライド)可能に保持され、ハンドル取付け座５の側面に設けてある長孔５Ｂから撮み(つまみ)付留めネジ６を挿入し、ハンドル下端部４Ａにねじ込むことにより、任意の位置で固定できるようにしてある点で従来技術のテレビジョンカメラ装置とは異なっている。
【００１３】
次に、この実施形態におけるハンドル４とハンドル取付け座５について、更に図２により詳細に説明する。ここで、この図２は、図１の(b)を、図では右側から見た図であり、このためビューファインダ３のアイカップ内にモニタ映像が見えているが、このときカメラヘッド１は省略してある。
【００１４】
まず、ハンドル取付け座５は、図示のように、略上向きコの字形の溝５Ａを備えたチャネル材と呼ばれている部材に類似した形状の部材で構成され、これがカメラヘッド１の上に、その溝５Ａが上を向いた状態で固定されている。このとき、溝５Ａの両端は開放したままにしておき、後述するように、側面に突出部４Ｂを備えたハンドル下端部４Ａが端面から溝５Ａの中に挿入できるようにしてあり、このため溝５Ａの側面には膨出部５Ｂが形成してある。
【００１５】
次に、ハンドル４は、その下端部４Ａに、上記したように突出部４Ｂが設けてある。そこで、ハンドル下端部４Ａを溝５Ａの中に、その端部から挿入してやると、当該ハンドル下端部４Ａと溝５Ａは、突出部４Ｂと膨出部５Ｂにより、ダブテイル(dobe-tail：鳩尾)保持又は蟻溝保持などの周知の保持定状態になり、ハンドル下端部４Ａは、溝５Ａから上には抜け出ないが、長手方向には滑らかに摺動できるように保持されることになる。
【００１６】
また、このハンドル下端部４Ａの突出部４Ｂには、更にその側方から雌ねじ孔４Ｃが設けてある。そこで、ハンドル下端部４Ａを溝５Ａの中に挿入した後、撮み付留めネジ６の雄ねじ部６Ａを、ハンドル取付け座５の側方から長孔５Ｂを通って挿入させ、雌ねじ孔４Ｃに係合させてからねじ込み方向に回してやると、ハンドル下端部４Ａがハンドル取付け座５に締付けられ、この結果、図１に示したように、ハンドル４をカメラヘッド１に取付け、強固に固定させることができる。
【００１７】
そして、このとき、撮み付留めネジ６による締付を緩めてやれば、ハンドル下端部４Ａを溝５Ａの中で、長孔５Ｂが明けられていている範囲で長手方向に移動させることができ、従って、この実施形態によれば、カメラヘッド１に対するハンドル４の長手方向の取付位置が長孔５Ｂの長さできまる範囲に渡って任意に変えられることになる。
【００１８】
そこで、いま、図３(a)に示すように、カメラヘッド１とレンズ２、それにビューファインダ３を備えた本発明の実施形態によるテレビジョンカメラ装置において、図示の位置に重心Ｇがあったとする。そして、この状態でカメラを持ち運ぶ場合、一点鎖線Ｌで示すように、ハンドル４の握り部分の真中が重心Ｇの真上になるようにして、ハンドル４をカメラヘッド１に固定する。そうすれば、ハンドル４によるテレビジョンカメラ装置の把持にバランスがとれ、ハンドル４による持ち運びを容易に行うことができる。
【００１９】
次に、図３(b)に示すように、カメラヘッド１からレンズ２を取外したとすると、この場合、重心Ｇがカメラヘッド１の後方に移動し、一点鎖線Ｍで示す位置になってしまう。そこで、今度は、ハンドル４も後方に移動させ、図３(c)に示すように、ハンドル４を、その握り部分の真中が重心Ｇの真上になるようにしてカメラヘッド１に固定する。そうすれば、ハンドル４によるテレビジョンカメラ装置の把持に再びバランスがとれた状態になり、レンズを外したときも快適な持ち運びが得られることになる。
【００２０】
次に、図４は、レンズを交換して、図３(a)のときのレンズ２よりも重い中型レンズ７をカメラヘッド１に装着した場合を示したもので、この場合、重心Ｇは、図示のように、カメラヘッド１の前方に移動してしまう。しかし、この場合でも、撮み付留めネジ６を緩めてハンドル４を前方に動かしてやればよく、従って、この実施形態によれば、簡単な操作でハンドル４の握り部分の真中が再び重心Ｇの真上にくるようにすることができる。
【００２１】
ここで、近年は、上記した可搬式のテレビジョンカメラ装置でも高性能仕様が珍しくなく、従って、更にズーム比が大きい高性能の大型レンズを装着しても充分に運用に耐えるようになっている。そこで、図５に示すように、大型レンズアダプタ９を用いてカメラヘッド１に大型レンズ８を装着し、更に５インチ程度のビューファインダ１０とタリー表示ケース１１を組合わせてやれば、本来のスタジオ仕様のテレビジョンカメラ装置としても遜色なく運用することができる。
【００２２】
ところで、この図５の場合、ハンドル４の位置は重心位置には関係ない。しかし、従来技術のようにハンドルが固定されていたとすると、これが前方に取付けられていた場合、タリー表示ケース１１に干渉してしまう。反対に後方寄りにハンドル４が取り付けられていた場合、今度はビューファインダー１０と干渉してしまうことになり、適用が困難である。しかし、本発明の実施形態の場合、ハンドル４が移動できるので、図示のように、何れにも干渉しない位置に任意にハンドル４を移動させることができ、従って、適用範囲に制限を受ける虞がない。
【図面の簡単な説明】
【００２３】
【図１】本発明によるテレビジョンカメラ装置の一実施形態を示す上面図と側面図である。
【図２】本発明の一実施形態におけるハンドルとハンドル取付け座の断面図である。
【図３】本発明の一実施形態による一使用態様の説明図である。
【図４】本発明の一実施形態による他の使用態様の説明図である。
【図５】本発明の一実施形態による更に別の使用態様の説明図である。
【符号の説明】
【００２４】
１：カメラヘッド
２：レンズ
３：ビューファインダ
４：ハンドル
４Ａ：ハンドル下端部
４Ｂ：突出部
４Ｃ：雌ねじ孔
５：ハンドル取付け座
５Ａ：溝
５Ｂ：長孔
６：撮み付留めネジ
６Ａ：雄ねじ部
７：中型レンズ
８：大型レンズ
９：大型レンズアダプタ
１０：ビューファインダ
１１：タリー表示ケース
【図１】
2007335990.tif 000003
【図２】
2007335990.tif 000004
【図３】
2007335990.tif 000005
【図４】
2007335990.tif 000006
【図５】
2007335990.tif 000007